(57)【要約】      （修正有）【課題】速度の制御が可能なリフターを提供する。【解決手段】速度の制御が可能なリフターは、固定部１０、移動部３０およびリング２０を含み、固定部とリングはスリップロープ１０７により連結され、移動部はスリップロープ上に取り付けられる。固定部内には調速装置が設けられ、調速装置は、止動輪、止動部、２つの円弧形の止動部支持板および調節構造で構成される。調節構造は、上カムシャフト、下カムシャフトおよび上カムシャフト上に取り付けられる調節棒１０３２で構成され、２つの止動部支持板の移動端の開口率は調節棒により調節される。移動部内には制動装置が取り付けられ、制動装置は、制動輪、制動部、２つの円弧形の制動部支持板および制動構造で構成される。制動構造は、主動軸３０６、被動軸３０８および主動軸上に取り付けられる制御棒３０４で構成され、２つの止動部支持板の移動端の緊密度は制御棒により制御される。【選択図】図１
0003222775.tif 000002
【実用新案登録請求の範囲】
【請求項１】
固定部（１０）、移動部（３０）およびリング（２０）を含み、前記固定部（１０）とリング（２０）はスリップロープ（１０７）により連結され、前記移動部（３０）はスリップロープ（１０７）上に取り付けられ、スリップロープ（１０７）の末端は固定されるとともに前記固定部（１０）内のロープリール（１０７３）上に巻かれる速度の制御が可能なリフターであって、前記固定部（１０）内には調速装置が設けられ、前記調速装置は、止動輪（１０８）、止動部（１０９）、２つの円弧形の止動部支持板（１１０）および調節構造で構成され、前記調節構造は、上カムシャフト（１０３）、下カムシャフト（１０５）および上カムシャフト（１０３）上に取り付けられる調節棒（１０３２）で構成され、前記２つの止動部支持板（１１０）の移動端の開口率は前記調節棒（１０３２）により調節され、前記ロープリール（１０７３）は前記止動輪（１０８）の外周面上に取り付けられ、前記移動部（３０）内には制動装置が取り付けられ、前記制動装置は、制動輪（３１３）、制動部（３１１）、２つの円弧形の制動部支持板（３１２）および制動構造で構成され、前記制動構造は、主動軸（３０６）、被動軸（３０８）および主動軸（３０６）上に取り付けられる制御棒（３０４）で構成され、前記２つの止動部支持板（１１０）の移動端（３１２１）の緊密度は前記制御棒（３０４）により制御されることを特徴とする速度の制御が可能なリフター。
【請求項２】
前記上カムシャフト（１０３）と下カムシャフト（１０５）は２つの円弧形の止動部支持板（１１０）の一側に対向するように取り付けられかつ連結棒（１０４）により回転可能に一体に連結され、前記調節棒（１０３２）は上カムシャフト（１０３）上に固定され、前記調節棒（１０３２）の外周面には位置決め階段が形成され、前記固定部（１０）上には前記位置決め階段に対応する円弧形のラック（１０３２１）が形成されていることを特徴とする請求項１に記載の速度の制御が可能なリフター。
【請求項３】
前記主動軸（３０６）と被動軸（３０８）は２つの円弧形の制動部支持板（３１２）の一側に対向するように取り付けられかつ連結棒（３０７）により回転可能に一体に連結され、前記制御棒（３０４）は主動軸（３０６）上に固定され、前記２つの制動部支持板（３１２）の移動端（３１２１）の間には圧縮スプリング（３１４１）が取り付けられ、前記制御棒（３０４）と前記圧縮スプリング（３１４１）の連係により前記２つの制動部支持板（３１２）の移動端（３１２１）の緊密度を制御することを特徴とする請求項１に記載の速度の制御が可能なリフター。
【請求項４】
前記圧縮スプリング（３１４１）の外周面には圧縮スプリング案内部（３１４）が取り付けられ、前記圧縮スプリング案内部（３１４）の長さは前記圧縮スプリング（３１４１）の弾力が放出されたときの長さより短いことを特徴とする請求項３に記載の速度の制御が可能なリフター。
【請求項５】
前記移動部（３０）上には位置制限部が設けられ、前記位置制限部と前記制御棒（３０４）の合致により制御棒（３０４）の移動を制限することを特徴とする請求項１に記載の速度の制御が可能なリフター。
【考案の詳細な説明】
【技術分野】
【０００１】
本考案は速度の制御が可能なリフター（lifter）に関するものである。
【背景技術】
【０００２】
高層建築物が増加しているので、緊急事態が発生するとき避難の問題は人々の注目を集めいている。本考案を考案する前に高層建築物において避難装置を使用してきたが、従来の避難装置は、構造が複雑であり、操作の利便性がよくないという欠点を有している。特に、従来の避難装置は制動装置の安定性がよくないという欠点等を有しているので、そのような避難装置を幅広く使用することができない。そのため、現在、依然としてスケーリングラダー（scaling  ladder）を使用するか或いは地面にエアクッション（air  cushion）を敷設することにより避難をする。従来の高層建築物に用いられる避難装置は、固定部、移動部およびリングを含み、固定部と移動部には中心軸がそれぞれ設けられている。従来の避難装置を使用するとき、固定部とリングを高い箇所に固定させ、固定部とリングはスリップロープにより連結され、移動部はスリップロープ上に取り付けられる。避難者はリングにより移動部に固定され、移動部と一緒に地面まで輸送される。
【考案の概要】
【考案が解決しようとする課題】
【０００３】
従来の技術の問題を解決するため、本考案において新型構造を有しておりかつ速度の制御が可能なリフターを提供する。本考案のリフターは、構造が簡単であり、操作の利便性がよいという利点を有している。特に、本考案のリフターの制動装置は優秀な安定性を有しているので、避難者を地面まで安全に搬送し、避難の目的を実現することができる。
【課題を解決するための手段】
【０００４】
前記目的を実現するため次の技術的事項を提供する。本考案の速度の制御が可能なリフターは、固定部、移動部およびリングを含み、前記固定部とリングはスリップロープにより連結され、前記移動部はスリップロープ上に取り付けられ、スリップロープの末端は固定されるとともに前記固定部内のロープリール上に巻かれる。前記固定部内には調速装置が設けられ、前記調速装置は、止動輪、止動部、２つの円弧形の止動部支持板および調節構造で構成される。前記調節構造は、上カムシャフト、下カムシャフトおよび上カムシャフト上に取り付けられる調節棒で構成され、前記２つの止動部支持板の移動端の開口率は前記調節棒により調節される。前記ロープリールは前記止動輪の外周面上に取り付けられ、前記移動部内には制動装置が取り付けられ、前記制動装置は、制動輪、制動部、２つの円弧形の制動部支持板および制動構造で構成される。前記制動構造は、主動軸、被動軸および主動軸上に取り付けられる制御棒で構成され、前記２つの止動部支持板の移動端の緊密度は前記制御棒により制御される。
【０００５】
好適な実施形態において、前記上カムシャフトと下カムシャフトは２つの円弧形の止動部支持板の一側に対向するように取り付けられかつ連結棒により回転可能に一体に連結される。前記調節棒は上カムシャフト上に固定され、前記調節棒の外周面には位置決め階段が形成され、前記固定部上には前記位置決め階段に対応する円弧形のラックが形成されている。
【０００６】
好適な実施形態において、前記主動軸と被動軸は２つの円弧形の制動部支持板の一側に対向するように取り付けられかつ連結棒により回転可能に一体に連結される。前記制御棒は主動軸上に固定され、前記２つの制動部支持板の移動端の間には圧縮スプリングが取り付けられ、前記制御棒と前記圧縮スプリングの連係により前記２つの制動部支持板の移動端の緊密度を制御する。
【０００７】
好適な実施形態において、前記圧縮スプリングの外周面には圧縮スプリング案内部が取り付けられ、前記圧縮スプリング案内部の長さは前記圧縮スプリングの弾力が放出されたときの長さより短い。
【０００８】
好適な実施形態において、前記移動部上には位置制限部が設けられ、前記位置制限部と前記制御棒の合致により制御棒の移動を制限する。
【考案の効果】
【０００９】
従来の技術と比較してみると、本考案において制動装置の構造を改良することにより、前記速度の制御が可能なリフターの構造を簡単にし、操作の利便性を向上させ、避難の安定性を有効に向上させることができる。まず、固定部内に前記構造を有している調速装置が取り付けられることにより、移動部の移動の速度を所定の範囲に制御し、避難者の色々な避難の要求を満たし、安全性を確保することができる。次に、避難者が自主的に移動部の移動の速度を制御することにより避難をすることができる。避難者が自主的に移動部の移動の速度を制御することができないか或いは移動部の移動の速度を制御する能力を失う場合、高い箇所の避難者は固定部の調節棒を操作することにより地面まで安全に移動することができる（その場合移動部の移動可能な状態になっている）。次に、固定部には前記構造を有している制御装置が取り付けられているので、その固定部により移動部の移動の速度を所定の範囲に制御し、避難者は移動部の移動の速度を容易に制御し、避難者の誤操作等により移動部が高速に落下することを避けることができる。最後に、固定部と移動部の止動（制動）構造は同様であり、その技術は常用の制動装置を改良してえることができるので、安定性がよく、製造が簡単であり、移動部の移動を有効に制御することができ、その製品は使用者の注目を集めることができる。
【図面の簡単な説明】
【００１０】
【図１】本考案の実施例に係る速度の制御が可能なリフターの側面の構造を示す図である。
【図２】図１の左側の構造を示す図であり、その図面には環状結合部、防塵カバーおよび制御棒が示されていない。
【図３】図１の右側の構造を示す図である。
【図４】図１のＡ−Ａ線に沿う断面を示す図であり、その図面の制動構造は最初の状態になっている。
【図５】図４中のＭ部位を示す拡大図であり、その図面の制動構造は作動状態すなわち主動軸が９０°回転する状態になっている。
【図６】図２のＢ−Ｂ線に沿う断面を示す図である。
【考案を実施するための形態】
【００１１】
本考案の速度の制御が可能なリフターは、固定部、移動部およびリングを含む。固定部内には調速装置が設けられる。前記調速装置は、止動輪、止動部、２つの円弧形の止動部支持板および調節構造で構成される。前記調節構造は、上カムシャフト、下カムシャフトおよび上カムシャフト上に取り付けられる調節棒で構成され、前記２つの止動部支持板の移動端の開口率は調節棒により調節される。移動部内には制動装置が取り付けられ、前記制動装置は、制動輪、制動部、２つの円弧形の制動部支持板および制動構造で構成される。前記制動構造は、主動軸、被動軸および主動軸上に取り付けられる制御棒で構成され、前記２つの制動部支持板の移動端の緊密度は前記制御棒により制御される。
【００１２】
本考案の事項を詳細に理解してもらうため、以下、図面により本考案の実施例をより詳細に説明する。
【００１３】
図１を参照する。速度の制御が可能なリフターの外観を観察すると、本実施例の速度の制御が可能なリフターは、３つの部分、固定部１０、リング２０および移動部３０で構成される。速度の制御が可能なリフターを使用するとき、固定部１０は高い箇所に固定され、スリップロープ１０７（Slip  rope）はリング２０により高い箇所に固定される。移動部３０は移動可能にスリップロープ１０７上に取り付けられる。固定部１０の外部にはカバー１０２の中央の中心軸１０６から突出している突出部が形成されている。前記突出部と付属品としての取っ手との合致により連結を実現し、引っ張られたスリップロープ１０７の復位を実現することができる。盤体１０１とカバー１０２は結合手段により連結される。盤体１０１の右側を観察すると、その上には上カムシャフト（camshaft）１０３、結合ナット１０３１、調節棒１０３２、連結棒１０４、下カムシャフト１０５および連動アーム１０５１が設けられている。調節棒１０３２と連動アーム１０５１は所定の結合ナット１０３１により固定され、連結棒１０４の両端は回転可能に連結されることにより、上カムシャフト１０３と下カムシャフト１０５は移動可能な全体に連結される。移動部３０のケース３０１の左側は結合手段によりケースカバー３０２に連結され、ケースカバー３０２上には環状結合部３０３と中央に取り付けられる防塵カバー３０２１が設けられている。ケース３０１の右側と固定部１０の盤体１０１の右側の構造は同様であり、主動軸３０６の軸の外周面上には制御棒３０４がナット３０５により固定され、連結棒３０７の両端は主動軸３０６と被動軸３０８の両端にそれぞれ回転可能に連結されることにより、その２つの軸は回転可能な全体になる。
【００１４】
図２を参照すると、その図面は図１の左側面図であり、その図面には調節棒１０３２、制御棒３０４（図３を参照）等が示されていない。固定部１０、移動部３０は円形の部品であり、固定部１０の中央には中心軸１０６が形成される。前記中心軸１０６の端部は四角形の突出部である。スリップロープ１０７はロープ入口１０７１から移動部３０に挿入されるとともに移動部のロープリール３１６上に巻かれ、ロープ出口１０７２から送出されるスリップロープ１０７の端部はリング２０上に固定される。固定部１０と移動部３０上にはピン３１０がそれぞれ形成され、そのピン３１０により下記止動部支持板１１０または制動部支持板３１２の固定端３１２２を固定させる。
【００１５】
図３を参照する。固定部１０の上カムシャフト１０３と下カムシャフト１０５は盤体１０１の外側に上下に取り付けられ、調節棒１０３２は上カムシャフト１０３上に固定される。連結棒１０４の両端は調節棒１０３２の一端と下カムシャフト１０５の連動アーム１０５１上に回転可能に連結され、それによりその調節棒と下カムシャフトは回転可能な全体になる。調節棒１０３２の外周面には位置決め階段が形成され、盤体１０１上には前記位置決め階段に対応する円弧形のラック１０３２１が形成されている。調節をするとき、調節棒１０３２を引くことにより位置決め階段がラック１０３２１上で移動するようにする。そのとき、上カムシャフト１０３と下カムシャフト１０５は所定の方向に回転することにより止動輪１０８と２つの止動部１０９との間の隙間を調節することができる。すなわち２つの止動部支持板１１０の移動端３１２１の開口率を調節することができる。
【００１６】
移動部３０の外側の構造と固定部１０の構造は類似する。すなわち制動装置およびその制動構造と調速装置およびその調節構造を使用するときのみある適度の相違点を有している。固定部１０は調節棒１０３２により移動部３０がスリップロープ１０７上で移動（またはスライド）する速度を予め制御し（位置決め階段とラック１０３２１を結合させる必要がある）、移動部３０の制御棒３０４は避難をするとき使用する。前記構造において、主動軸３０６と被動軸３０８は上下に配置され、制御棒３０４は主動軸３０６上に固定され、連結棒３０７の両端は主動軸３０６の端部と被動軸３０８の回転アーム３０９上に回転可能に連結されることにより、その主動軸３０６と被動軸３０８は回転可能な全体になる。
【００１７】
図４、図５および図６を一緒に参照する。その３つの図面により固定部１０と移動部３０の内部の構造を詳細に観察することができる。固定部１０においてスリップロープ１０７はロープリール１０７３上に巻かれ、ロープリール１０７３は調速装置の止動輪１０８の外周面上に取り付けられる。調速装置は、止動輪１０８のほかに、止動部１０９、２つの円弧形の止動部支持板１１０および調節構造を更に含む。前記調節構造は、上カムシャフト１０３、下カムシャフト１０５および上カムシャフト１０３上に取り付けられる調節棒１０３２で構成され、前記２つの止動部支持板１１０の移動端の開口率は調節棒１０３２により調節される。止動部１０９、止動部支持板１１０は止動輪１０８の内壁の内周面に順に取り付けられる。
【００１８】
固定部１０と移動部３０の内部の構造は類似している。すなわち止動輪１０８と制動輪３１３、止動部１０９と制動部３１１、止動部支持板１１０と制動部支持板３１２等は名称のみが異なっている（説明のため）。以下、移動部３０の構造を例として説明する。
【００１９】
制動輪３１３の外周面は移動部のロープリール３１６であり、ロープ入口１０７１から挿入されるスリップロープ１０７は前記ロープリール３１６上に巻かれ、ロープ出口１０７２から送出されるスリップロープ１０７の端部はリング２０上に固定される。制動輪３１３の内部には制動部３１１、制動部支持板３１２（制動部３１１と制動部支持板３１２は一体型構造である）が順に取り付けられる。制動輪３１３はキー３１７により移動部の中心軸３１５上に取り付けられる。制動部支持板３１２は２つの円弧板である。制動部支持板３１２の２つの固定端３０２２の位置はピン３１０により決められ、２つの移動端３１２１には２つの押し部が突出しており、主動軸３０６と被動軸３０８は前記押し部の外側にそれぞれ取り付けられている。
【００２０】
２つの押し部の間には圧縮スプリング３１４１と圧縮スプリング案内部３１４が形成される。主動軸３０６が制御棒３０４の駆動により回転するとき、カム３０８１は同方向の移動により２つの押し部を押し、制動部支持板３１２と制動部３１１は制動輪３１３から離れる方向に移動する（制動部３１１と制動部支持板３１２は一体型構造である）。それにより制動輪３１３と制動部３１１との間に隙間が形成されかつ移動の速度が増加し、移動の速度は制御棒３０４の駆動によってカム３０８１が回転する角度により決定される。前記圧縮スプリング案内部３１４の長さは前記圧縮スプリング３１４１の弾力が放出されたときの長さより短い。
【００２１】
意識を失う避難者の避難を確保するため、移動部３０上に制御棒３０４の位置制限部を設ける。前記位置制限部が制御棒３０４の位置を決めることにより圧縮スプリング３１４１は圧縮状態になりかつ制動機能を発揮することができない。そのとき、移動部３０は滑車になり、その移動の速度は固定部１０の調節棒１０３２により制御される。
【００２２】
リフターを使用するとき、固定部１０とリング２０を建物の避難窓口の適当な位置に固定させ、移動部３０をスリップロープ１０７上に取り付ける。避難者はヘルメットを被り、安全胴衣を着、安全胴衣の結合部を移動部３０の環状結合部３０３に結合させた後、避難窓口から避難をすることができる。そのとき移動部３０の制御棒３０４は、最初の状態、すなわち圧縮スプリング３１４１が延伸した状態になっているので、移動部３０は下へ移動することができない。避難者が制御棒３０４を押すことにより制動輪３１３と制動部３１１との間に隙間を形成すると、移動部３０は避難者の重量により下へ移動することができる。移動部３０が下へ移動するとき、不測の事態により移動部３０を停止させる必要があると、避難者が制御棒３０４を放すことにより移動部３０を停止させることができる。避難者が地面まで移動した後、高い箇所の避難者は付属品としての取っ手を固定部１０の中心軸１０３の突出部上に連結させ、ロープリール１０７３を反対方向に回転させることによりスリップロープ１０７を元の位置まで移動させ、避難を再びすることができる。
【符号の説明】
【００２３】
１０  固定部
１０１  盤体
１０２  カバー
１０３  上カムシャフト
１０３１  結合ナット
１０３２  調節棒
１０３２１  ラック
１０４  連結棒
１０５  下カムシャフト
１０５１  連動アーム
１０６  中心軸
１０６１  軸受
１０６２  スペーサー
１０６３  ナット
１０６４  キー
１０７  スリップロープ
１０７１  ロープ入口
１０７２  ロープ出口
１０７３  ロープリール
１０８  止動輪
１０９  止動部
１１０  止動部支持板
２０  リング
３０  移動部
３０１  ケース
３０２  ケースカバー
３０２１  防塵カバー
３０３  環状結合部
３０４  制御棒
３０５  ナット
３０６  主動軸
３０７  連結棒
３０８  被動軸
３０８１  カム
３０９  回転アーム
３１０  ピン
３１１  制動部
３１２  制動部支持板
３１２１  移動端
３１２２  固定端
３１３  制動輪
３１３１  内部ナット
３１３２  スペーサー
３１４  圧縮スプリング案内部
３１４１  圧縮スプリング
３１５  中心軸
３１６  移動部のロープリール
３１７  キー
【図１】
0003222775.tif 000003
【図２】
0003222775.tif 000004
【図３】
0003222775.tif 000005
【図４】
0003222775.tif 000006
【図５】
0003222775.tif 000007
【図６】
0003222775.tif 000008